(57)【特許請求の範囲】
【請求項１】
側壁に設けられワイドモードを有する送風機であって、
吸込口（14）と吹出口（15）とが形成されたケーシング（11）と、
前記ケーシング（11）内に設けられるファン（12）と、
前記吹出口（15）から吹き出される空気の流れである吹出気流を調節する気流調節機構（20）とを備え、
前記吹出口（15）は、前記送風機の左右方向に延伸し、
前記吹出口（15）の延伸方向と直交する幅方向における長さ（L15）は、３００ｍｍ以下であり、
前記吹出口（15）から前記送風機の前方に１０００ｍｍ離れた第１地点（P1）を始点とし且つ前記吹出口（15）から前記送風機の前方に２０００ｍｍ離れた第２地点（P2）を終点とする前後方向の範囲内に位置する少なくとも１つの地点を基準地点（P0）とし、
前記基準地点（P0）を始点とし且つ該基準地点（P0）から上方に１６００ｍｍ離れた位置を終点とする上下方向の範囲を基準高さ範囲（R10）とし、
前記基準高さ範囲（R10）を上下方向に三等分して得られる３つの範囲のうち、上側に位置する範囲を第１範囲（R11）、下側に位置する範囲を第２範囲（R12）、中央に位置する範囲を第３範囲（R13）とし、
前記吹出口（15）の基準位置（Q）が床面から上方に２０００ｍｍ離れた位置となるように前記送風機が設けられる試験条件下において、前記気流調節機構（20）は、前記ワイドモードにおいて、前記第１範囲（R11）の平均風速と前記第２範囲（R12）の平均風速とが互いに略同一となり、且つ、前記第１範囲（R11）の平均風速に対する前記第３範囲（R13）の平均風速の倍率が１．５倍未満となるように、前記吹出気流を調節する
ことを特徴とする送風機。
【請求項２】
請求項１において、
前記気流調節機構（20）は、前記試験条件下における前記ワイドモードにおいて、前記第１範囲（R11）の平均風速と前記第２範囲（R12）の平均風速とが互いに略同一となり、且つ、前記第１範囲（R11）の平均風速に対する前記第３範囲（R13）の平均風速の倍率が１．１倍未満であり且つ０．５倍以上となるように、前記吹出気流を調節する
ことを特徴とする送風機。
【請求項３】
請求項１または２において、
前記気流調節機構（20）は、前記試験条件下における前記ワイドモードにおいて、前記基準高さ範囲（R10）の平均風速が０．５ｍ／ｓ以上となるように、前記吹出気流を調節する
ことを特徴とする送風機。
【請求項４】
請求項１〜３のいずれか１つにおいて、
前記吹出口（15）の前記幅方向における長さ（L15）は、１５０ｍｍ以下である
ことを特徴とする送風機。
【請求項５】
請求項１において、
前記気流調節機構（20）は、前記試験条件下における前記ワイドモードにおいて、前記第１範囲（R11）の平均風速と前記第２範囲（R12）の平均風速とが互いに略同一となり、且つ、前記第１範囲（R11）の平均風速に対する前記第３範囲（R13）の平均風速の倍率が１．５倍未満となるという風速分布条件が、前記吹出口（15）の前記左右方向における中心位置（Qc）を中央とし且つ前記左右方向の長さが１０００ｍｍ以上である左右方向の範囲（R20）内において成立するように、前記吹出気流を調節する
ことを特徴とする送風機。
【請求項６】
請求項１〜５のいずれか１つにおいて、
前記気流調節機構（20）は、前記吹出口（15）の後寄りに設けられる第１風向調節羽根（31）と、前記吹出口（15）の前寄りに設けられる第２風向調節羽根（32）とを有し、
前記第１風向調節羽根（31）は、前記ワイドモードにおいて前記吹出気流を下方に拡大するように構成され、
前記第２風向調節羽根（32）は、前記ワイドモードにおいて前記吹出気流を上方に拡大するように構成される
ことを特徴とする送風機。
【請求項７】
請求項６において、
前記第１風向調節羽根（31）と前記第２風向調節羽根（32）は、前記ワイドモードにおいてコアンダ効果により前記吹出気流を上下方向に分割するように構成される
ことを特徴とする送風機。
【請求項８】
請求項６において、
前記気流調節機構（20）は、前記第１風向調節羽根（31）と前記第２風向調節羽根（32）との間に設けられる少なくとも１つの第３風向調節羽根（33）を有し、
前記第３風向調節羽根（33）は、前記ワイドモードにおいて前記吹出気流を上下方向に分割するように構成される
ことを特徴とする送風機。
【請求項９】
請求項８において、
前記第２風向調節羽根（32）は、前記吹出口（15）の前縁部と連続するように構成される
ことを特徴とする送風機。
【請求項１０】
請求項８または９において、
前記第１風向調節羽根（31）と前記第２風向調節羽根（32）と前記第３風向調節羽根（33）の各々は、前記吹出口（15）の延伸方向において分割されることなく、該吹出口（15）の延伸方向に沿うように延伸する
ことを特徴とする送風機。
【請求項１１】
請求項１〜１０のいずれか１つにおいて、
前記気流調節機構（20）は、前記左右方向に並ぶように前記吹出口（15）に設けられる３つ以上の補助調節羽根（35）を有し、
前記３つ以上の補助調節羽根（35）の各々は、前記吹出気流を前記左右方向に分割するように構成される
ことを特徴とする送風機。
【請求項１２】
請求項１〜１１のいずれか１つに記載の送風機と、
前記ケーシング（11）内に収容される熱交換器（13）を備え、
前記熱交換器（13）は、前記吸込口（14）から吸い込まれる空気と冷媒とを熱交換させ、
前記熱交換器（13）を通過した空気は、前記吹出口（15）から吹き出される
ことを特徴とする空調室内機。
【請求項１３】
吸込口（14）と吹出口（15）とが形成されたケーシング（11）と、
前記ケーシング（11）内に設けられるファン（12）と、
前記吹出口（15）から吹き出される空気の流れである吹出気流を調節する気流調節機構（20）とを備える送風機であって、
前記吹出口（15）の開口部の形状は、前記開口部に外接する長方形の短辺の長さが３００ｍｍ以下であり、
前記吹出口（15）の基準位置（Q）が床面から上方に２０００ｍｍ離れた位置となるように前記送風機が設けられる試験条件下において、前記吹出口（15）の基準位置（Q）の真下にある床面上の地点から前記送風機の前方に１０００ｍｍ離れた第１地点（P1）を始点とし且つ前記吹出口（15）の基準位置（Q）の真下にある床面上の地点から前記送風機の前方に２０００ｍｍ離れた第２地点（P2）を終点とする前後方向の範囲内に位置する少なくとも１つの地点を基準地点（P0）とし、
前記基準地点（P0）を始点とし且つ該基準地点（P0）から上方に１６００ｍｍ離れた位置を終点とする上下方向の範囲を基準高さ範囲（R10）とし、
前記基準高さ範囲（R10）を上下方向に三等分して得られる３つの範囲のうち、上側に位置する範囲を第１範囲（R11）、下側に位置する範囲を第２範囲（R12）、中央に位置する範囲を第３範囲（R13）とし、
前記試験条件下において、前記第１範囲（R11）の平均風速と前記第２範囲（R12）の平均風速とが互いに略同一になるように前記吹出気流の風向を調節したときに、前記第１範囲（R11）の平均風速に対する前記第３範囲（R13）の平均風速の倍率が１．５倍未満となる
ことを特徴とする送風機。
【請求項１４】
請求項１３において、
前記試験条件下において、前記第１範囲（R11）の平均風速と前記第２範囲（R12）の平均風速とが互いに略同一になるように前記吹出気流の風向を調節したときに、前記第１範囲（R11）の平均風速に対する前記第３範囲（R13）の平均風速の倍率が１．１倍未満であり且つ０．５倍以上となる
ことを特徴とする送風機。
【請求項１５】
請求項１３または１４において、
前記試験条件下において、前記第１範囲（R11）の平均風速と前記第２範囲（R12）の平均風速とが互いに略同一になるように前記吹出気流の風向を調節したときに、前記基準高さ範囲（R10）の平均風速が０．５ｍ／ｓ以上となる
ことを特徴とする送風機。
【請求項１６】
請求項１３〜１５のいずれか１つにおいて、
前記吹出口（15）の前記長方形の短辺の長さは、１５０ｍｍ以下である
ことを特徴とする送風機。
【請求項１７】
請求項１３において、
前記試験条件下において、前記第１範囲（R11）の平均風速と前記第２範囲（R12）の平均風速とが互いに略同一になるように前記吹出気流の風向を調節したときに、前記第１範囲（R11）の平均風速に対する前記第３範囲（R13）の平均風速の倍率が１．５倍未満となるという風速分布条件が、前記吹出口（15）の前記長方形の長手方向における中心位置（Qc）を中央とし且つ前記長方形の長手方向の長さが１０００ｍｍ以上である前記長方形の長手方向の範囲（R20）内において成立する
ことを特徴とする送風機。
【請求項１８】
請求項１３〜１７のいずれか１つにおいて、
前記気流調節機構（20）は、前記吹出口（15）の後寄りに設けられる第１風向調節羽根（31）と、前記吹出口（15）の前寄りに設けられる第２風向調節羽根（32）とを有し、
前記第１風向調節羽根（31）は、前記吹出気流を下方に拡大するように構成され、
前記第２風向調節羽根（32）は、前記吹出気流を上方に拡大するように構成される
ことを特徴とする送風機。
【請求項１９】
請求項１８において、
前記第１風向調節羽根（31）と前記第２風向調節羽根（32）は、コアンダ効果により前記吹出気流を上下方向に分割するように構成される
ことを特徴とする送風機。
【請求項２０】
請求項１８において、
前記気流調節機構（20）は、前記第１風向調節羽根（31）と前記第２風向調節羽根（32）との間に設けられる少なくとも１つの第３風向調節羽根（33）を有し、
前記第３風向調節羽根（33）は、前記吹出気流を上下方向に分割するように構成される
ことを特徴とする送風機。
【請求項２１】
請求項２０において、
前記第２風向調節羽根（32）は、前記吹出口（15）の前縁部と連続するように構成される
ことを特徴とする送風機。
【請求項２２】
請求項２０または２１において、
前記第１風向調節羽根（31）と前記第２風向調節羽根（32）と前記第３風向調節羽根（33）の各々は、前記吹出口（15）の開口方向において分割されることなく、該吹出口（15）の開口方向に沿うように延伸する
ことを特徴とする送風機。
【請求項２３】
請求項１３〜２２のいずれか１つにおいて、
前記気流調節機構（20）は、前記吹出口（15）の前記長方形の長手方向に並ぶように前記吹出口（15）に設けられる３つ以上の補助調節羽根（35）を有し、
前記３つ以上の補助調節羽根（35）の各々は、前記吹出気流を前記吹出口（15）の前記長方形の長手方向に分割するように構成される
ことを特徴とする送風機。
【請求項２４】
請求項１３〜２３のいずれか１つに記載の送風機と、
前記ケーシング（11）内に収容される熱交換器（13）を備え、
前記熱交換器（13）は、前記吸込口（14）から吸い込まれる空気と冷媒とを熱交換させ、
前記熱交換器（13）を通過した空気は、前記吹出口（15）から吹き出される
ことを特徴とする空調室内機。
【発明の詳細な説明】
【技術分野】
【０００１】
本開示は、送風機および空調室内機に関する。
【背景技術】
【０００２】
特許文献１には、空気調和機が開示されている。この空気調和機は、底部に空気を吹き出す吹出口が設けられた本体ケースと、本体ケースの底部前方に配置されて上下方向の位置と傾きがそれぞれ独立して変更可能な第１の羽根と、本体ケースの底部後方に配置されて第１の羽根の位置に対応して回動する第２の羽根とを備える。
【先行技術文献】
【特許文献】
【０００３】
【特許文献１】国際公開第２０１６／２０７９４６号
【発明の概要】
【発明が解決しようとする課題】
【０００４】
しかしながら、特許文献１のような空気調和機（送風機の一例）では、吹出口から吹き出される気流がユーザの身体に局所的に当たってしまう。そのため、ユーザに不快感を与えてしまうおそれがある。
【課題を解決するための手段】
【０００５】
本開示の第１の態様は、側壁に設けられワイドモードを有する送風機に関し、この送風機は、吸込口（14）と吹出口（15）とが形成されたケーシング（11）と、前記ケーシング（11）内に設けられるファン（12）と、前記吹出口（15）から吹き出される空気の流れである吹出気流を調節する気流調節機構（20）とを備え、前記吹出口（15）は、前記送風機の左右方向に延伸し、前記吹出口（15）の延伸方向と直交する幅方向における長さ（L15）は、３００ｍｍ以下であり、前記吹出口（15）から前記送風機の前方に１０００ｍｍ離れた第１地点（P1）を始点とし且つ前記吹出口（15）から前記送風機の前方に２０００ｍｍ離れた第２地点（P2）を終点とする前後方向の範囲内に位置する少なくとも１つの地点を基準地点（P0）とし、前記基準地点（P0）を始点とし且つ該基準地点（P0）から上方に１６００ｍｍ離れた位置を終点とする上下方向の範囲を基準高さ範囲（R10）とし、前記基準高さ範囲（R10）を上下方向に三等分して得られる３つの範囲のうち、上側に位置する範囲を第１範囲（R11）、下側に位置する範囲を第２範囲（R12）、中央に位置する範囲を第３範囲（R13）とし、前記吹出口（15）の基準位置（Q）が床面から上方に２０００ｍｍ離れた位置となるように前記送風機が設けられる試験条件下において、前記気流調節機構（20）は、前記ワイドモードにおいて、前記第１範囲（R11）の平均風速と前記第２範囲（R12）の平均風速とが互いに略同一となり、且つ、前記第１範囲（R11）の平均風速に対する前記第３範囲（R13）の平均風速の倍率が１．５倍未満となるように、前記吹出気流を調節する。
【０００６】
第１の態様では、第１範囲（R11）の平均風速と第２範囲（R12）の平均風速との差を略ゼロにすることができる。第１範囲（R11）の平均風速と第３範囲（R13）の平均風速との差を第３範囲（R13）の平均風速の０．５倍未満にすることができる。第２範囲（R12）の平均風速と第３範囲（R13）の平均風速との差を第３範囲（R13）の平均風速の略０．５倍未満にすることができる。このように、基準高さ範囲（R10）内における吹出気流の風速のばらつきを低減することができるので、上下方向における風速のばらつきが低減された吹出気流をユーザの全身へ向けて送り出すことができる。これにより、吹出気流が身体に局所的に当たることによる不快感を軽減することができる。
【０００７】
本開示の第２の態様は、第１の態様において、前記気流調節機構（20）は、前記試験条件下における前記ワイドモードにおいて、前記第１範囲（R11）の平均風速と前記第２範囲（R12）の平均風速とが互いに略同一となり、且つ、前記第１範囲（R11）の平均風速に対する前記第３範囲（R13）の平均風速の倍率が１．１倍未満であり且つ０．５倍以上となるように、前記吹出気流を調節することを特徴とする送風機である。
【０００８】
第２の態様では、第１範囲（R11）の平均風速と第２範囲（R12）の平均風速との差を略ゼロにすることができる。第１範囲（R11）の平均風速と第３範囲（R13）の平均風速との差を第３範囲（R13）の平均風速の０．１〜０．５倍未満にすることができる。第２範囲（R12）の平均風速と第３範囲（R13）の平均風速との差を第３範囲（R13）の平均風速の略０．１〜０．５倍未満にすることができる。このように、基準高さ範囲（R10）内における吹出気流の風速のばらつきを低減することができるので、上下方向における風速のばらつきが低減された吹出気流をユーザの全身へ向けて送り出すことができる。これにより、吹出気流が身体に局所的に当たることによる不快感を軽減することができる。
【０００９】
本開示の第３の態様は、第１または第２の態様において、前記気流調節機構（20）は、前記試験条件下における前記ワイドモードにおいて、前記基準高さ範囲（R10）の平均風速が０．５ｍ／ｓ以上となるように、前記吹出気流を調節することを特徴とする送風機である。
【００１０】
第３の態様では、基準高さ範囲（R10）内における吹出気流の平均風速が低くなり過ぎることを防止することができる。これにより、上下方向における風速のばらつきが低減された吹出気流をユーザの全身へ向けて有効に送り出すことができる。
【００１１】
本開示の第４の態様は、第１〜第３の態様のいずれか１つにおいて、前記吹出口（15）の前記幅方向における長さ（L15）は、１５０ｍｍ以下であることを特徴とする送風機である。
【００１２】
本開示の第５の態様は、第１の態様において、前記気流調節機構（20）は、前記試験条件下における前記ワイドモードにおいて、前記第１範囲（R11）の平均風速と前記第２範囲（R12）の平均風速とが互いに略同一となり、且つ、前記第１範囲（R11）の平均風速に対する前記第３範囲（R13）の平均風速の倍率が１．５倍未満となるという風速分布条件が、前記吹出口（15）の前記左右方向における中心位置（Qc）を中央とし且つ前記左右方向の長さが１０００ｍｍ以上である左右方向の範囲（R20）内において成立するように、前記吹出気流を調節することを特徴とする送風機である。
【００１３】
第５の態様では、１０００ｍｍ以上の左右方向の範囲内において、基準高さ範囲（R10）内における吹出気流の風速のばらつきを低減することができる風速分布条件を満たすことができる。これにより、１０００ｍｍ以上の左右方向の範囲内において、吹出気流が身体に局所的に当たることによる不快感を軽減することができる。
【００１４】
本開示の第６の態様は、第１〜第５の態様のいずれか１つにおいて、前記気流調節機構（20）は、前記吹出口（15）の後寄りに設けられる第１風向調節羽根（31）と、前記吹出口（15）の前寄りに設けられる第２風向調節羽根（32）とを有し、前記第１風向調節羽根（31）は、前記ワイドモードにおいて前記吹出気流を下方に拡大するように構成され、前記第２風向調節羽根（32）は、前記ワイドモードにおいて前記吹出気流を上方に拡大するように構成されることを特徴とする送風機である。
【００１５】
第６の態様では、第１風向調節羽根（31）と第２風向調節羽根（32）とにより、吹出気流を上下方向に広げることができる。これにより、基準高さ範囲（R10）内における吹出気流の風速のばらつきを低減することができ、上下方向における風速のばらつきが低減された吹出気流をユーザの全身へ向けて送り出すことができる。これにより、吹出気流が身体に局所的に当たることによる不快感を軽減することができる。
【００１６】
本開示の第７の態様は、第６の態様において、前記第１風向調節羽根（31）と前記第２風向調節羽根（32）は、前記ワイドモードにおいてコアンダ効果により前記吹出気流を上下方向に分割するように構成されることを特徴とする送風機である。
【００１７】
第７の態様では、第１風向調節羽根（31）におけるコアンダ効果により、第１風向調節羽根（31）に沿うように吹出気流を下方に案内することができる。また、第２風向調節羽根（32）におけるコアンダ効果により、第２風向調節羽根（32）に沿うように吹出気流を上方に案内することができる。そして、これらのコアンダ効果を利用して吹出気流を上下方向に分割することにより、吹出気流を上下方向に容易に広げることができる。
【００１８】
本開示の第８の態様は、第６の態様において、前記気流調節機構（20）は、前記第１風向調節羽根（31）と前記第２風向調節羽根（32）との間に設けられる少なくとも１つの第３風向調節羽根（33）を有し、前記第３風向調節羽根（33）は、前記ワイドモードにおいて前記吹出気流を上下方向に分割するように構成されることを特徴とする送風機である。
【００１９】
第８の態様では、第３風向調節羽根（33）を利用して吹出気流を上下方向に分割することにより、吹出気流を上下方向に容易に広げることができる。
【００２０】
本開示の第９の態様は、第８の態様において、前記第２風向調節羽根（32）は、前記吹出口（15）の前縁部と連続するように構成されることを特徴とする送風機である。
【００２１】
第９の態様では、吹出口（15）の前縁部と連続するように第２風向調節羽根（32）を構成することにより、吹出口（15）から第２風向調節羽根（32）へ向かう空気の流れを円滑にすることができる。これにより、第２風向調節羽根（32）による吹出気流の上方への拡大を円滑にすることができる。
【００２２】
本開示の第１０の態様は、第８または第９の態様において、前記第１風向調節羽根（31）と前記第２風向調節羽根（32）と前記第３風向調節羽根（33）の各々は、前記吹出口（15）の延伸方向において分割されることなく、該吹出口（15）の延伸方向に沿うように延伸することを特徴とする送風機である。
【００２３】
第１０の態様では、第１風向調節羽根（31）と第２風向調節羽根（32）と第３風向調節羽根（33）の各々が吹出口（15）の延伸方向において分割されていないので、風向調節羽根を分割することにより形成される隙間から吹出気流が漏れるという事態を回避することができる。これにより、第１風向調節羽根（31）と第２風向調節羽根（32）と第３風向調節羽根（33）とを用いて吹出気流を上下方向に容易に広げることができる。
【００２４】
本開示の第１１の態様は、第１〜第１０の態様のいずれか１つにおいて、前記気流調節機構（20）は、前記左右方向に並ぶように前記吹出口（15）に設けられる３つ以上の補助調節羽根（35）を有し、前記３つ以上の補助調節羽根（35）の各々は、前記吹出気流を前記左右方向に分割するように構成されることを特徴とする送風機である。
【００２５】
第１１の態様では、吹出気流を左右方向に分割することにより、吹出気流を左右方向に広げることができる。これにより、上下方向における風速のばらつきが低減された吹出気流が送り出される範囲を左右方向に広げることができる。
【００２６】
本開示の第１２の態様は、空調室内機に関し、この空調室内機は、第１〜第１１の態様のいずれか１つの送風機と、前記ケーシング（11）内に収容される熱交換器（13）を備え、前記熱交換器（13）は、前記吸込口（14）から吸い込まれる空気と冷媒とを熱交換させ、前記熱交換器（13）を通過した空気は、前記吹出口（15）から吹き出される。
【００２７】
第１２の態様では、吹出気流が身体に局所的に当たることによる不快感を軽減することができる。
【００２８】
本開示の第１３の態様は、送風機に関し、この送風機は、吸込口（14）と吹出口（15）とが形成されたケーシング（11）と、前記ケーシング（11）内に設けられるファン（12）と、前記吹出口（15）から吹き出される空気の流れである吹出気流を調節する気流調節機構（20）とを備え、前記吹出口（15）の開口部の形状は、前記開口部に外接する長方形の短辺の長さが３００ｍｍ以下であり、前記吹出口（15）の基準位置（Q）が床面から上方に２０００ｍｍ離れた位置となるように前記送風機が設けられる試験条件下において、前記吹出口（15）の基準位置（Q）の真下にある床面上の地点から前記送風機の前方に１０００ｍｍ離れた第１地点（P1）を始点とし且つ前記吹出口（15）の基準位置（Q）の真下にある床面上の地点から前記送風機の前方に２０００ｍｍ離れた第２地点（P2）を終点とする前後方向の範囲内に位置する少なくとも１つの地点を基準地点（P0）とし、前記基準地点（P0）を始点とし且つ該基準地点（P0）から上方に１６００ｍｍ離れた位置を終点とする上下方向の範囲を基準高さ範囲（R10）とし、前記基準高さ範囲（R10）を上下方向に三等分して得られる３つの範囲のうち、上側に位置する範囲を第１範囲（R11）、下側に位置する範囲を第２範囲（R12）、中央に位置する範囲を第３範囲（R13）とし、前記試験条件下において、前記第１範囲（R11）の平均風速と前記第２範囲（R12）の平均風速とが互いに略同一になるように前記吹出気流の風向を調節したときに、前記第１範囲（R11）の平均風速に対する前記第３範囲（R13）の平均風速の倍率が１．５倍未満となる。
【００２９】
第１３の態様では、上下方向の所定範囲内における吹出気流の風速のばらつきを低減することができるので、上下方向における風速のばらつきが低減された吹出気流をユーザの全身へ向けて送り出すことができる。これにより、吹出気流が身体に局所的に当たることによる不快感を軽減することができる。
【００３０】
本開示の第１４の態様は、第１３の態様において、前記試験条件下において、前記第１範囲（R11）の平均風速と前記第２範囲（R12）の平均風速とが互いに略同一になるように前記吹出気流の風向を調節したときに、前記第１範囲（R11）の平均風速に対する前記第３範囲（R13）の平均風速の倍率が１．１倍未満であり且つ０．５倍以上となることを特徴とする送風機である。
【００３１】
第１４の態様では、上下方向の所定範囲内における吹出気流の風速のばらつきを低減することができるので、上下方向における風速のばらつきが低減された吹出気流をユーザの全身へ向けて送り出すことができる。これにより、吹出気流が身体に局所的に当たることによる不快感を軽減することができる。
【００３２】
本開示の第１５の態様は、第１３または第１４の態様において、前記試験条件下において、前記第１範囲（R11）の平均風速と前記第２範囲（R12）の平均風速とが互いに略同一になるように前記吹出気流の風向を調節したときに、前記基準高さ範囲（R10）の平均風速が０．５ｍ／ｓ以上となることを特徴とする送風機である。
【００３３】
第１５の態様では、上下方向の所定範囲内における吹出気流の平均風速が低くなり過ぎることを防止することができる。これにより、上下方向における風速のばらつきが低減された吹出気流をユーザの全身へ向けて有効に送り出すことができる。
【００３４】
本開示の第１６の態様は、第１３〜第１５の態様のいずれか１つにおいて、前記吹出口（15）の前記長方形の短辺の長さは、１５０ｍｍ以下であることを特徴とする送風機である。
【００３５】
本開示の第１７の態様は、第１３の態様において、前記試験条件下において、前記第１範囲（R11）の平均風速と前記第２範囲（R12）の平均風速とが互いに略同一になるように前記吹出気流の風向を調節したときに、前記第１範囲（R11）の平均風速に対する前記第３範囲（R13）の平均風速の倍率が１．５倍未満となるという風速分布条件が、前記吹出口（15）の前記長方形の長手方向における中心位置（Qc）を中央とし且つ前記長方形の長手方向の長さが１０００ｍｍ以上である前記長方形の長手方向の範囲（R20）内において成立することを特徴とする送風機である。
【００３６】
第１７の態様では、１０００ｍｍ以上の所定方向（具体的には吹出口（15）の開口部に外接する長方形の長手方向）の範囲内において、上下方向の所定範囲内における吹出気流の風速のばらつきを低減することができる風速分布条件を満たすことができる。これにより、１０００ｍｍ以上の所定方向の範囲内において、吹出気流が身体に局所的に当たることによる不快感を軽減することができる。
【００３７】
本開示の第１８の態様は、第１３〜第１７の態様のいずれか１つにおいて、前記気流調節機構（20）は、前記吹出口（15）の後寄りに設けられる第１風向調節羽根（31）と、前記吹出口（15）の前寄りに設けられる第２風向調節羽根（32）とを有し、前記第１風向調節羽根（31）は、前記吹出気流を下方に拡大するように構成され、前記第２風向調節羽根（32）は、前記吹出気流を上方に拡大するように構成されることを特徴とする送風機である。
【００３８】
第１８の態様では、第１風向調節羽根（31）と第２風向調節羽根（32）とにより、吹出気流を上下方向に広げることができる。これにより、上下方向の所定範囲内における吹出気流の風速のばらつきを低減することができ、上下方向における風速のばらつきが低減された吹出気流をユーザの全身へ向けて送り出すことができる。これにより、吹出気流が身体に局所的に当たることによる不快感を軽減することができる。
【００３９】
本開示の第１９の態様は、第１８の態様において、前記第１風向調節羽根（31）と前記第２風向調節羽根（32）は、コアンダ効果により前記吹出気流を上下方向に分割するように構成されることを特徴とする送風機である。
【００４０】
第１９の態様では、第１風向調節羽根（31）におけるコアンダ効果により、第１風向調節羽根（31）に沿うように吹出気流を下方に案内することができる。また、第２風向調節羽根（32）におけるコアンダ効果により、第２風向調節羽根（32）に沿うように吹出気流を上方に案内することができる。そして、これらのコアンダ効果を利用して吹出気流を上下方向に分割することにより、吹出気流を上下方向に容易に広げることができる。
【００４１】
本開示の第２０の態様は、第１８の態様において、前記気流調節機構（20）は、前記第１風向調節羽根（31）と前記第２風向調節羽根（32）との間に設けられる少なくとも１つの第３風向調節羽根（33）を有し、前記第３風向調節羽根（33）は、前記吹出気流を上下方向に分割するように構成されることを特徴とする送風機である。
【００４２】
第２０の態様では、第３風向調節羽根（33）を利用して吹出気流を上下方向に分割することにより、吹出気流を上下方向に容易に広げることができる。
【００４３】
本開示の第２１の態様は、第２０の態様において、前記第２風向調節羽根（32）は、前記吹出口（15）の前縁部と連続するように構成されることを特徴とする送風機である。
【００４４】
第２１の態様では、吹出口（15）の前縁部と連続するように第２風向調節羽根（32）を構成することにより、吹出口（15）から第２風向調節羽根（32）へ向かう空気の流れを円滑にすることができる。これにより、第２風向調節羽根（32）による吹出気流の上方への拡大を円滑にすることができる。
【００４５】
本開示の第２２の態様は、第２０または第２１の態様において、前記第１風向調節羽根（31）と前記第２風向調節羽根（32）と前記第３風向調節羽根（33）の各々は、前記吹出口（15）の開口方向において分割されることなく、該吹出口（15）の開口方向に沿うように延伸することを特徴とする送風機である。
【００４６】
第２２の態様では、第１風向調節羽根（31）と第２風向調節羽根（32）と第３風向調節羽根（33）の各々が吹出口（15）の延伸方向において分割されていないので、風向調節羽根を分割することにより形成される隙間から吹出気流が漏れるという事態を回避することができる。これにより、第１風向調節羽根（31）と第２風向調節羽根（32）と第３風向調節羽根（33）とを用いて吹出気流を上下方向に容易に広げることができる。
【００４７】
本開示の第２３の態様は、第１３〜第２２の態様のいずれか１つにおいて、前記気流調節機構（20）は、前記吹出口（15）の前記長方形の長手方向に並ぶように前記吹出口（15）に設けられる３つ以上の補助調節羽根（35）を有し、前記３つ以上の補助調節羽根（35）の各々は、前記吹出気流を前記吹出口（15）の前記長方形の長手方向に分割するように構成されることを特徴とする送風機である。
【００４８】
第２３の態様では、吹出気流を吹出口（15）の長方形の長手方向に分割することにより、吹出気流を吹出口（15）の長方形の長手方向に広げることができる。これにより、上下方向における風速のばらつきが低減された吹出気流が送り出される範囲を吹出口（15）の長方形の長手方向に広げることができる。
【００４９】
本開示の第２４の態様は、空調室内機に関し、この空調室内機は、第１３〜第２３の態様のいずれか１つの送風機と、前記ケーシング（11）内に収容される熱交換器（13）を備え、前記熱交換器（13）は、前記吸込口（14）から吸い込まれる空気と冷媒とを熱交換させ、前記熱交換器（13）を通過した空気は、前記吹出口（15）から吹き出される。
【００５０】
第２４の態様では、吹出気流が身体に局所的に当たることによる不快感を軽減することができる。
【図面の簡単な説明】
【００５１】
【図１】図１は、実施形態１による空調室内機の構成を例示する断面図である。
【図２】図２は、実施形態１による空調室内機の構成を例示する平面図である。
【図３】図３は、ワイドモードにおける吹出気流を例示する概略図である。
【図４】図４は、ワイドモードにおける吹出気流を例示する概略図である。
【図５】図５は、ワイドモードにおける吹出気流の風速分布を例示する風速分布図である。
【図６】図６は、通常モードにおける風向調節羽根の姿勢を例示する断面図である。
【図７】図７は、通常モードにおける吹出気流の風速分布を例示する風速分布図である。
【図８】図８は、ワイドモードの吹出気流の風速分布を例示するグラフである。
【図９】図９は、通常モードの吹出気流の風速分布を例示するグラフである。
【図１０】図１０は、気流調節機構の変形例１の構成を例示する断面図である。
【図１１】図１１は、気流調節機構の変形例２の構成を例示する断面図である。
【図１２】図１２は、気流調節機構の変形例３の構成を例示する断面図である。
【図１３】図１３は、気流調節機構の変形例４の構成を例示する断面図である。
【発明を実施するための形態】
【００５２】
以下、図面を参照して実施の形態を詳しく説明する。なお、図中同一または相当部分には同一の符号を付しその説明は繰り返さない。
【００５３】
（実施形態１）
図１および図２は、実施形態１による空調室内機（10）の構成を例示する。空調室内機（10）は、送風機の一例である。この例では、空調室内機（10）は、室内の側壁に設けられる。例えば、空調室内機（10）は、冷房運転、暖房運転、除湿運転、加湿運転、送風運転などを行う。また、この例では、空調室内機（10）は、吹出モードとして、ワイドモードと、通常モードとを有する。空調室内機（10）の吹出モードは、ワイドモードと通常モードとに切り換え可能である。吹出モードについては、後で詳しく説明する。
【００５４】
空調室内機（10）は、ケーシング（11）と、ファン（12）と、熱交換器（13）と、底フレーム（16）と、気流調節機構（20）と、制御部（40）とを備える。なお、以下の説明における「前」「後」「左」「右」「上」「下」は、側壁に設けられた空調室内機（10）を正面から見た場合の方向を示している。
【００５５】
〔ケーシング〕
ケーシング（11）の内部には、ファン（12）と熱交換器（13）と底フレーム（16）と気流調節機構（20）と制御部（40）とが収容される。この例では、ケーシング（11）は、左右方向に延びる直方体型の箱状に形成される。具体的には、ケーシング（11）は、天面パネル（11a）と、前面パネル（11b）と、背面パネル（11c）と、底面パネル（11d）と、右面パネル（11e）と、左面パネル（11f）とを有する。前面パネル（11b）は、その上端が天面パネル（11a）に回動可能に支持される。
【００５６】
ケーシング（11）には、吸込口（14）と吹出口（15）とが形成される。この例では、吸込口（14）は、天面パネル（11a）に設けられ、矩形状に形成される。吹出口（15）は、ケーシング（11）の下部に設けられる。吹出口（15）は、空調室内機（10）の左右方向に延伸する。具体的には、吹出口（15）は、底面パネル（11d）に設けられ、左右方向に延伸する矩形状に形成される。吹出口（15）の延伸方向（長手方向）は、左右方向であり、吹出口（15）の延伸方向と直交する吹出口（15）の幅方向（短手方向）は、前後方向である。言い換えると、吹出口（15）は、横長の開口である。吹出口（15）は、空調室内機（10）の左右方向に開口する。吹出口（15）の幅方向は、吹出口（15）の開口方向と直交する。
【００５７】
また、この例では、吹出口（15）の幅方向における長さ（L15）は、３００ｍｍ以下である。なお、吹出口（15）の幅方向における長さ（L15）は、１５０ｍｍ以下であってもよい。
【００５８】
〔ファン〕
ファン（12）は、底フレーム（16）に取り付けられる。ファン（12）は、吸込口（14）から吸い込まれた空気を吹出口（15）から吹き出す。この例では、ファン（12）は、クロスフローファンである。
【００５９】
〔熱交換器〕
熱交換器（13）は、底フレーム（16）に取り付けられる。熱交換器（13）は、吸込口（14）から吸い込まれる空気と冷媒とを熱交換させる。熱交換器（13）において空気と冷媒との熱交換を行うことにより、その空気の温度を調節することができる。熱交換器（13）を通過した空気は、吹出口（15）から吹き出される。この例では、熱交換器（13）は、左右方向から見た場合に両端が下方に向いて屈曲する逆Ｖ字型の形状を有する。熱交換器（13）の下方には、ファン（12）が配置される。
【００６０】
〔吹出流路とスクロール〕
ケーシング（11）内には、吹出流路（17）が設けられる。底フレーム（16）は、背面側スクロール（18）と、前面側スクロール（19）とを有する。背面側スクロール（18）は、底フレーム（16）の一部を構成する隔壁である。
【００６１】
吹出流路（17）は、ケーシング（11）の内部と吹出口（15）とを繋ぐ。背面側スクロール（18）は、ファン（12）に対向するように湾曲する。吹出流路（17）は、吹出口（15）から背面側スクロール（18）に沿うように延びる。背面側スクロール（18）の終端（F）は、吹出口（15）の後縁近傍に位置する。前面側スクロール（19）は、吹出流路（17）を挟んで背面側スクロール（18）と向かい合う。
【００６２】
〔空気の流れ〕
ファン（12）が駆動すると、天面パネル（11a）の吸込口（14）から吸い込まれた空気（この例では室内空気）は、熱交換器（13）を経由してファン（12）に吸い込まれ、ファン（12）から吹出流路（17）を経由して吹出口（15）から吹き出される。吹出流路（17）を通過する空気は、背面側スクロール（18）に沿うように進み、背面側スクロール（18）の終端（F）の接線方向に送られる。
【００６３】
〔気流調節機構〕
気流調節機構（20）は、吹出口（15）に設けられる。気流調節機構（20）は、吹出口（15）から吹き出される空気の流れ（以下「吹出気流」と記載）を調節する。この例では、気流調節機構（20）は、第１風向調節羽根（31）と、第２風向調節羽根（32）と、３つ以上（具体的には９つ）の補助調節羽根（35）とを有する。
【００６４】
〈第１風向調節羽根〉
第１風向調節羽根（31）は、吹出口（15）の延伸方向に沿うように延びる板状に形成され、吹出口（15）の後寄りに設けられる。また、第１風向調節羽根（31）は、それぞれが異なる傾斜角（吹出口（15）の延伸方向に沿うように延びる揺動軸線の周りの角度）となる複数の姿勢に切り換え可能である。第１風向調節羽根（31）の姿勢を切り換えることにより、吹出気流の上下方向の向き（特に下方への広がり）を調節することができる。
【００６５】
具体的には、第１風向調節羽根（31）の根元部（幅方向における一方の縁部）には、第１揺動軸（311）が固定される。第１揺動軸（311）は、ケーシング（11）に揺動可能に支持される。また、第１揺動軸（311）には、第１モータ（図示省略）が連結される。第１モータの駆動により第１風向調節羽根（31）が第１揺動軸（311）を中心として揺動し、第１風向調節羽根（31）の姿勢が切り換えられる。
【００６６】
この例では、第１風向調節羽根（31）は、吹出口（15）の延伸方向において分割されることなく、吹出口（15）の延伸方向に沿うように延伸する。また、第１風向調節羽根（31）は、吹出口（15）の後縁部と連続するように形成される。
【００６７】
また、この例では、第１風向調節羽根（31）は、少なくとも、吹出口（15）を閉じる姿勢と、図１に示した姿勢（ワイドモードに対応する姿勢）と、図６に示した姿勢（通常モードに対応する姿勢）とに切り換え可能である。第１風向調節羽根（31）の姿勢が吹出口（15）を閉じる姿勢である場合、第１風向調節羽根（31）の外表面（31a）は、ケーシング（11）の底面パネル（11d）の外表面の延長上にある。第１風向調節羽根（31）の姿勢が図１（または図６）に示した姿勢である場合、吹出口（15）から吹き出された空気は、概ね、第１風向調節羽根（31）の内表面（31b）に沿うように流れる。
【００６８】
〈第２風向調節羽根〉
第２風向調節羽根（32）は、吹出口（15）の延伸方向に沿うように延びる板状に形成され、吹出口（15）の前寄りに設けられる。また、第２風向調節羽根（32）は、それぞれが異なる傾斜角（吹出口（15）の延伸方向に沿うように延びる揺動軸線の周りの角度）となる複数の姿勢に切り換え可能である。第２風向調節羽根（32）の姿勢を切り換えることにより、吹出気流の上下方向の向き（特に上方への広がり）を調節することができる。
【００６９】
具体的には、第２風向調節羽根（32）の根元部（幅方向における一方の縁部）には、第２揺動軸（321）が固定される。第２揺動軸（321）は、ケーシング（11）に揺動可能に支持される。また、第２揺動軸（321）には、第２モータ（図示省略）が連結される。第２モータの駆動により第２風向調節羽根（32）が第２揺動軸（321）を中心として揺動し、第２風向調節羽根（32）の姿勢が切り換えられる。
【００７０】
この例では、第２風向調節羽根（32）は、吹出口（15）の延伸方向において分割されることなく、吹出口（15）の延伸方向に沿うように延伸する。また、第２風向調節羽根（32）は、吹出口（15）の前縁部と連続するように構成される。
【００７１】
また、この例では、第２風向調節羽根（32）は、少なくとも、収容部（130）に収容された姿勢と、図１に示した姿勢（ワイドモードに対応する姿勢）と、図６に示した姿勢（通常モードに対応する姿勢）とに切り換え可能である。第２風向調節羽根（32）の姿勢が収容部（130）に収容された姿勢である場合、第２風向調節羽根（32）の外表面（32a）は、ケーシング（11）の底面パネル（11d）の外表面の延長上にある。第２風向調節羽根（32）の内表面（32b）は、収容部（130）の外表面に沿うように形成される。
【００７２】
〈第１風向調節羽根と第２風向調節羽根の構成〉
この例では、第１風向調節羽根（31）は、ワイドモードにおいて吹出気流を下方に拡大するように構成される。第２風向調節羽根（32）は、ワイドモードにおいて吹出気流を上方に拡大するように構成される。また、第１風向調節羽根（31）と第２風向調節羽根（32）は、ワイドモードにおいてコアンダ効果により吹出気流を上下方向に分割するように構成される。ワイドモードにおける吹出気流の分割については、後で詳しく説明する。
【００７３】
〈補助調節羽根〉
複数の補助調節羽根（35）は、空調室内機（10）の左右方向に並ぶように吹出口（15）に設けられる。複数の補助調節羽根（35）の各々は、吹出気流を左右方向に分割するように構成される。
【００７４】
具体的には、複数の補助調節羽根（35）の各々は、互いに同様の構成を有する。補助調節羽根（35）は、上下方向に延びる板状に形成される。補助調節羽根（35）は、その板面が吹出口（15）の延伸方向と直交する姿勢を中心として左右方向に揺動可能である。補助調節羽根（35）を左右方向に揺動させることにより、吹出気流の左右方向の向きを調節することができる。補助調節羽根（35）は、いわゆる垂直風向調節羽根である。
【００７５】
この例では、９つの補助調節羽根（35）は、吹出口（15）の右寄りに配置された３つの第１補助調節羽根（35a）と、吹出口（15）の左寄りに配置された３つの第２補助調節羽根（35b）と、吹出口（15）の中央部に配置された３つの第３補助調節羽根（35c）とを含む。３つの第１補助調節羽根（35a）は、吹出口（15）の左右方向に沿うように延びる連結棒（図示省略）に連結される、第１連結棒には、補助モータ（図示省略）が連結される。補助モータの駆動により連結棒が左右方向に移動し、３つの第１補助調節羽根（35a）が左右方向に揺動する。なお、３つの第２補助調節羽根（35b）の構成および３つの第３補助調節羽根（35c）の構成は、３つの第１補助調節羽根（35a）の構成と同様である。
【００７６】
〔制御部〕
制御部（40）は、空調室内機（10）に設けられた各種センサ（図示省略）からの信号や外部（例えばリモートコントローラ）からの指令に基づいて、空調室内機（10）の各部を制御する。これにより、空調室内機（10）の動作が制御される。この例では、制御部（40）は、運転制御、風向制御、風量制御、温度制御、湿度制御などを行う。運転制御では、制御部（40）は、空調室内機（10）の運転モードを決定する。風向制御では、制御部（40）は、気流調節機構（20）を制御する。具体的には、制御部（40）は、風向制御において、第１風向調節羽根（31）と第２風向調節羽根（32）と補助調節羽根（35）の姿勢を制御する。また、風向制御では、制御部（40）は、気流調節機構（20）を制御して吹出モードの切り換えを行う。風量制御では、制御部（40）は、ファン（12）により吹き出される空気の風量を制御する。具体的には、制御部（40）は、風量制御において、ファン（12）の回転数を制御する。例えば、制御部（40）は、プロセッサと、プロセッサを動作させるためのプログラムや情報を記憶するメモリとにより構成される。
【００７７】
〔ワイドモードにおける吹出気流に関する特徴〕
次に、図３、図４、図５を参照して、ワイドモードにおける吹出気流に関する特徴について説明する。ワイドモードは、上下方向における風速のばらつきが低減された吹出気流であり、且つ、ユーザの全身へ向けて送り出すことができる吹出気流（以下では「ワイド気流」と記載）を生成する吹出モードである。
【００７８】
以下の説明において、吹出口（15）（具体的には吹出口（15）の基準位置（Q）の真下にある床面上の地点）から空調室内機（10）の前方に１０００ｍｍ離れた第１地点（P1）を始点とし、且つ、吹出口（15）（具体的には吹出口（15）の基準位置（Q）の真下にある床面上の地点）から空調室内機（10）の前方に２０００ｍｍ離れた第２地点（P2）を終点とする前後方向の範囲内に位置する少なくとも１つの地点を「基準地点（P0）」とする。図３および図４の例では、基準地点（P0）は、第１地点（P1）と一致している。なお、第１地点（P1）と第２地点（P2）と基準地点（P0）は、床面上の点である。
【００７９】
また、基準地点（P0）を始点とし、且つ、基準地点（P0）から上方に１６００ｍｍ離れた位置を終点とする上下方向の範囲を「基準高さ範囲（R10）」とする。基準高さ範囲（R10）を上下方向に三等分して得られる３つの範囲のうち、上側に位置する範囲を「第１範囲（R11）」とし、下側に位置する範囲を「第２範囲（R12）」とし、中央に位置する範囲を「第３範囲（R13）」とする。なお、基準高さ範囲（R10）の長さである「１６００ｍｍ」は、例えば、標準的なユーザ（具体例としては成人男性）の身長に基づいて定められた数値である。
【００８０】
〈試験条件〉
本開示では、ワイドモードにおける吹出空気に関する特徴の検証を容易にするために、試験条件が定められている。この試験条件は、吹出口（15）の基準位置（Q）が床面から上方に２０００ｍｍ離れた位置となるように空調室内機（10）が設けられるという条件である。なお、図３および図４の例では、吹出口（15）の基準位置（Q）は、吹出口（15）の中心位置（延伸方向および幅方向の中心位置、言い換えると対角線の交点の位置）である。
【００８１】
〈気流調節機構の動作〉
気流調節機構（20）は、試験条件下におけるワイドモードにおいて、第１範囲（R11）の平均風速と第２範囲（R12）の平均風速とが互いに略同一となり、且つ、第１範囲（R11）の平均風速に対する第３範囲（R13）の平均風速の倍率が１．５倍未満となるように、吹出気流を調節する。
【００８２】
なお、「第１範囲（R11）の平均風速と第２範囲（R12）の平均風速とが互いに略同一である」という状態には、第１範囲（R11）の平均風速と第２範囲（R12）の平均風速とが完全に同一である状態だけでなく、第１範囲（R11）の平均風速と第２範囲（R12）の平均風速との差が予め定められた許容値以下であるという状態も含まれる。許容値は、例えば、第１範囲（R11）の平均風速および第２範囲（R12）の平均風速のうち大きい方の平均風速の１０％に設定されてもよい。
【００８３】
また、第１範囲（R11）と第２範囲（R12）と第３範囲（R13）の各々の平均風速は、次のように計測されてもよい。例えば、基準高さ範囲（R10）内において複数の風速計が上下方向に並んで配置される。具体的には、複数の風速計は、基準高さ範囲（R10）内において上下方向に延びる直線上に並んで配置される。そして、第１範囲（R11）内に配置された複数の風速計の各々により計測された風速の平均を「第１範囲（R11）の平均風速」としてもよい。第２範囲（R12）内に配置された複数の風速計の各々により計測された風速の平均を「第２範囲（R12）の平均風速」としてもよい。第３範囲（R13）内に配置された複数の風速計の各々により計測された風速の平均を「第３範囲（R13）の平均風速」としてもよい。または、第１範囲（R11）と第２範囲（R12）と第３範囲（R13）の各々の平均風速は、シミュレーションにより推定されてもよい。
【００８４】
この例では、気流調節機構（20）は、試験条件下におけるワイドモードにおいて、ワイド風速分布条件が左右方向の範囲（R20）内において成立するように、吹出気流を調節する。なお、ワイド風速分布条件は、第１範囲（R11）の平均風速と第２範囲（R12）の平均風速とが互いに略同一となり、且つ、第１範囲（R11）の平均風速に対する第３範囲（R13）の平均風速の倍率が１．５倍未満となるという風速分布条件である。左右方向の範囲（R20）は、吹出口（15）の左右方向における中心位置（Qc）を中央とし、且つ、左右方向の長さが１０００ｍｍ以上である左右方向の範囲である。なお、左右方向の範囲（R20）の長さの下限値である「１０００ｍｍ」は、例えば、標準的なユーザ（具体例としては成人男性）の横幅に基づいて定められた数値である。
【００８５】
また、気流調節機構（20）は、試験条件下におけるワイドモードにおいて、基準高さ範囲（R10）の平均風速が０．５ｍ／ｓ以上となるように、吹出気流を調節する。
【００８６】
〈ワイドモードにおける吹出気流の詳細〉
この例では、ワイドモードにおいて、第１風向調節羽根（31）および第２風向調節羽根（32）の各々の姿勢は、例えば、図１に示した姿勢となる。図１に示すように、ワイドモードでは、第１風向調節羽根（31）におけるコアンダ効果により、第１風向調節羽根（31）に沿うように吹出気流が下方に案内される。また、第２風向調節羽根（32）におけるコアンダ効果により、第２風向調節羽根（32）に沿うように吹出気流が上方に案内される。そして、これらのコアンダ効果により吹出気流が上下方向に分割される。具体的には、吹出気流は、第１風向調節羽根（31）に沿うように流れる第１気流（D1）と、第２風向調節羽根（32）に沿うように流れる第２気流（D2）とに分割される。第１気流（D1）および第２気流（D2）の各々は、空気流れの下流側へ向かうに連れて上下方向に次第に広がり、それぞれの一部が互いに合流する。このようにして、吹出気流が上下方向に広げられる。
【００８７】
上述のように、ワイドモードでは、気流調節機構（20）により吹出気流が上下方向に分割されて複数の気流が生成される。これらの複数の気流は、空気流れの下流側へ向かうに連れて次第に広がり、これらの複数の気流のうち上下方向に隣り合う２つの気流の一部が互いに合流する。このようにして、吹出気流が上下方向に広げられる。
【００８８】
〈ワイドモードにおける吹出気流の風速分布〉
図５は、ワイドモードにおける吹出気流の風速分布を例示する。図５の例では、吹出気流の風速領域が４つの風速領域に分類されている。４つの風速領域は、４つの風速範囲にそれぞれ対応する。第１風速領域は、右上がりの細かい斜線のハッチングが付された領域であり、吹出気流の風速ピークを示す領域である。第１風速領域における風速は、最も高い風速範囲に属する。第２風速領域は、右下がりの細かい斜線のハッチングが付された領域であり、第２風速領域における風速は、２番目に高い風速範囲に属する。第３風速領域は、右上がりの粗い斜線のハッチングが付された領域であり、第３風速領域における風速は、３番目に高い風速範囲に属する。第４風速領域は、右下がりの粗い斜線のハッチングが付された領域であり、第４風速領域における風速は、最も低い風速範囲に属する。
【００８９】
図５に示すように、ワイドモードにおける吹出気流では、風速ピークを示す領域（第１風速領域）が上下方向に分割されている。ここで、「吹出気流が上下方向に分割される」という状態は、例えば、上下方向および前後方向を含む平面における吹出気流の風速分布を示す風速分布図（図５）において、吹出気流の風速のピークを示す領域（図５の例では第１風速領域）が複数の領域に分割されている状態のことであるといえる。なお、ワイドモードにおいて吹出口（15）から吹き出された直後（つまり吹出口（15）近傍）の吹出空気全体に占める乱流領域の割合は、３０％未満であることが好ましい。
【００９０】
〔通常モード〕
次に、図６および図７を参照して、通常モードについて説明する。この例では、通常モードは、吹出口（15）の斜め下方へ向けて吹出気流を送り出す吹出モードである。
【００９１】
図６に示すように、通常モードでは、吹出気流は、上下方向に分割されない。通常モードでは、吹出気流がユーザの身体に局所的に当たることになる。
【００９２】
なお、吹出気流がユーザの身体（例えば身体の一部）に当たるという状態は、例えば、ユーザの身体（例えば身体の一部）に当たる吹出気流の風速が予め定められた最小風速よりも高いという状態である。最小風速は、ユーザが吹出空気を感じることができるとみなされる吹出気流の風速の最小値（例えば０．３ｍ／ｓ）に設定されてもよい。
【００９３】
図７は、通常モードにおける吹出気流の風速分布を例示する。図７の例では、図５の例と同様に、吹出気流の風速領域が４つの風速領域（第１〜第４風速領域）に分類されている。図７に示すように、通常モードにおける吹出気流では、風速ピークを示す領域（第１風速領域）が上下方向に分割されていない。
【００９４】
〔ワイドモードと通常モードとの比較〕
次に、図８および図９を参照して、ワイドモードにおける吹出気流と通常モードにおける吹出気流とを比較する。図８は、ワイドモードにおける吹出気流の風速分布を例示し、図９は、通常モードにおける吹出気流の風速分布を例示する。図８および図９は、吹出口（15）から前方に１０００ｍｍ離れた第１地点（P1）を基準地点（P0）とし、吹出口（15）の基準位置（Q）が床面から上方に２０００ｍｍ離れた位置となるように空調室内機（10）を設けた場合に、その基準地点（P0）において計測される基準高さ範囲（R10）内の風速の一例を示す。
【００９５】
図８に示すように、ワイドモードにおける吹出気流では、基準高さ範囲（R10）の平均風速が「０．７６ｍ／ｓ」である。第１範囲（R11）の平均風速が「０．８４ｍ／ｓ」であり、第２範囲（R12）の平均風速が「０．８５ｍ／ｓ」であり、第３範囲（R13）の平均風速が「０．６１ｍ／ｓ」である。図８の例では、第１範囲（R11）の平均風速と第２範囲（R12）の平均風速との差は、「０．０１ｍ／ｓ」であり、第１範囲（R11）の平均風速と第２範囲（R12）の平均風速とが互いに略同一となっている。そして、第１範囲（R11）の平均風速に対する第３範囲（R13）の平均風速の倍率は、約０．７３倍であり、第１範囲（R11）の平均風速に対する第３範囲（R13）の平均風速の倍率が１．５倍未満となっている。このように、試験条件下におけるワイドモードでは、第１範囲（R11）の平均風速と第２範囲（R12）の平均風速とが互いに略同一となり、且つ、第１範囲（R11）の平均風速に対する第３範囲（R13）の平均風速の倍率が１．５倍未満となるという風速分布条件が成立する。
【００９６】
一方、図９に示すように、通常モードにおける吹出気流では、基準高さ範囲（R10）の平均風速が「１．１５ｍ／ｓ」である。第１範囲（R11）の平均風速が「０．９７ｍ／ｓ」であり、第２範囲（R12）の平均風速が「０．７４ｍ／ｓ」であり、第３範囲（R13）の平均風速が「１．６４ｍ／ｓ」である。図９の例では、第１範囲（R11）の平均風速と第２範囲（R12）の平均風速との差は、「０．２３ｍ／ｓ」であり、第１範囲（R11）の平均風速と第２範囲（R12）の平均風速とが互いに略同一となっていない。そして、第１範囲（R11）の平均風速に対する第３範囲（R13）の平均風速の倍率は、約１．６９倍であり、第１範囲（R11）の平均風速に対する第３範囲（R13）の平均風速の倍率が１．５倍未満となっていない。このように、試験条件下における通常モードでは、上記の風速分布条件が成立しない。
【００９７】
〔実施形態１の効果〕
以上のように、実施形態１による空調室内機（10）は、側壁に設けられ、ワイドモードを有する。空調室内機（10）は、吸込口（14）と吹出口（15）とが形成されたケーシング（11）と、ケーシング（11）内に設けられるファン（12）と、吹出口（15）から吹き出される空気の流れである吹出気流を調節する気流調節機構（20）とを備える。吹出口（15）は、空調室内機（10）の左右方向に延伸する。吹出口（15）の延伸方向と直交する幅方向における長さ（L15）は、３００ｍｍ以下である。吹出口（15）から空調室内機（10）の前方に１０００ｍｍ離れた第１地点（P1）を始点とし且つ吹出口（15）から空調室内機（10）の前方に２０００ｍｍ離れた第２地点（P2）を終点とする前後方向の範囲内に位置する少なくとも１つの地点を基準地点（P0）とする。基準地点（P0）を始点とし且つ基準地点（P0）から上方に１６００ｍｍ離れた位置を終点とする上下方向の範囲を基準高さ範囲（R10）とする。基準高さ範囲（R10）を上下方向に三等分して得られる３つの範囲のうち、上側に位置する範囲を第１範囲（R11）、下側に位置する範囲を第２範囲（R12）、中央に位置する範囲を第３範囲（R13）とする。吹出口（15）の基準位置（Q）が床面から上方に２０００ｍｍ離れた位置となるように空調室内機（10）が設けられる試験条件下において、気流調節機構（20）は、ワイドモードにおいて、第１範囲（R11）の平均風速と第２範囲（R12）の平均風速とが互いに略同一となり、且つ、第１範囲（R11）の平均風速に対する第３範囲（R13）の平均風速の倍率が１．５倍未満となるように、吹出気流を調節する。
【００９８】
上記の構成では、第１範囲（R11）の平均風速と第２範囲（R12）の平均風速との差を略ゼロにすることができる。第１範囲（R11）の平均風速と第３範囲（R13）の平均風速との差を第３範囲（R13）の平均風速の０．５倍未満にすることができる。第２範囲（R12）の平均風速と第３範囲（R13）の平均風速との差を第３範囲（R13）の平均風速の略０．５倍未満にすることができる。このように、基準高さ範囲（R10）内における吹出気流の風速のばらつきを低減することができるので、上下方向における風速のばらつきが低減された吹出気流をユーザの全身へ向けて送り出すことができる。これにより、吹出気流が身体に局所的に当たることによる不快感を軽減することができる。
【００９９】
また、実施形態１による空調室内機（10）では、気流調節機構（20）は、試験条件下におけるワイドモードにおいて、基準高さ範囲（R10）の平均風速が０．５ｍ／ｓ以上となるように、吹出気流を調節する。
【０１００】
上記の構成では、基準高さ範囲（R10）内における吹出気流の平均風速が低くなり過ぎることを防止することができる。これにより、上下方向における風速のばらつきが低減された吹出気流をユーザの全身へ向けて有効に送り出すことができる。
【０１０１】
また、実施形態１による空調室内機（10）では、気流調節機構（20）は、試験条件下におけるワイドモードにおいて、第１範囲（R11）の平均風速と第２範囲（R12）の平均風速とが互いに略同一となり、且つ、第１範囲（R11）の平均風速に対する第３範囲（R13）の平均風速の倍率が１．５倍未満となるという風速分布条件が、吹出口（15）の左右方向における中心位置（Qc）を中央とし且つ左右方向の長さが１０００ｍｍ以上である左右方向の範囲（R20）内において成立するように、吹出気流を調節する。
【０１０２】
上記の構成では、１０００ｍｍ以上の左右方向の範囲内において、基準高さ範囲（R10）内における吹出気流の風速のばらつきを低減することができる風速分布条件を満たすことができる。これにより、１０００ｍｍ以上の左右方向の範囲内において、吹出気流が身体に局所的に当たることによる不快感を軽減することができる。
【０１０３】
また、実施形態１による空調室内機（10）では、気流調節機構（20）は、吹出口（15）の後寄りに設けられる第１風向調節羽根（31）と、吹出口（15）の前寄りに設けられる第２風向調節羽根（32）とを有する。第１風向調節羽根（31）は、ワイドモードにおいて吹出気流を下方に拡大するように構成される。第２風向調節羽根（32）は、ワイドモードにおいて吹出気流を上方に拡大するように構成される。
【０１０４】
上記の構成では、第１風向調節羽根（31）と第２風向調節羽根（32）とにより、吹出気流を上下方向に広げることができる。これにより、基準高さ範囲（R10）内における吹出気流の風速のばらつきを低減することができ、上下方向における風速のばらつきが低減された吹出気流をユーザの全身へ向けて送り出すことができる。これにより、吹出気流が身体に局所的に当たることによる不快感を軽減することができる。
【０１０５】
また、実施形態１による空調室内機（10）では、第１風向調節羽根（31）と第２風向調節羽根（32）は、ワイドモードにおいてコアンダ効果により吹出気流を上下方向に分割するように構成される。
【０１０６】
上記の構成では、第１風向調節羽根（31）におけるコアンダ効果により、第１風向調節羽根（31）に沿うように吹出気流を下方に案内することができる。また、第２風向調節羽根（32）におけるコアンダ効果により、第２風向調節羽根（32）に沿うように吹出気流を上方に案内することができる。そして、これらのコアンダ効果を利用して吹出気流を上下方向に分割することにより、吹出気流を上下方向に容易に広げることができる。
【０１０７】
また、実施形態１による空調室内機（10）では、第２風向調節羽根（32）は、吹出口（15）の前縁部と連続するように構成される。
【０１０８】
上記の構成では、吹出口（15）の前縁部と連続するように第２風向調節羽根（32）を構成することにより、吹出口（15）から第２風向調節羽根（32）へ向かう空気の流れを円滑にすることができる。これにより、第２風向調節羽根（32）による吹出気流の上方への拡大を円滑にすることができる。
【０１０９】
また、実施形態１による空調室内機（10）では、気流調節機構（20）は、左右方向に並ぶように吹出口（15）に設けられる３つ以上の補助調節羽根（35）を有する。３つ以上の補助調節羽根（35）の各々は、吹出気流を左右方向に分割するように構成される。
【０１１０】
上記の構成では、吹出気流を左右方向に分割することにより、吹出気流を左右方向に広げることができる。これにより、上下方向における風速のばらつきが低減された吹出気流が送り出される範囲を左右方向に広げることができる。
【０１１１】
また、実施形態１による空調室内機（10）では、上下方向における風速のばらつきが低減された吹出気流であり、且つ、ユーザの全身へ向けて送り出すことができる吹出気流（ワイド気流）を生成することができるので、吹出気流がユーザの身体に局所的に当たる場合よりも、吹出気流によるユーザの全身の温度変化を均一にすることができる。例えば、ワイド気流によりユーザの全身を均一に冷やしたり暖めたりすることができる。これにより、ユーザの全身における温度分布のばらつきを低減することができるので、温度分布のばらつきに起因するユーザの疲労を軽減することができる。
【０１１２】
また、ワイド気流を生成することにより、吹出気流によるユーザの全身の温度変化を均一にすることができるので、吹出気流がユーザの身体に局所的に当たる場合よりも、ユーザの全身の温度を素早く変化させることができる。例えば、ユーザの全身を素早く冷やしたり暖めたりすることができる。これにより、吹出気流がユーザの身体に局所的に当たる場合よりも、ユーザの全身の温度（例えば体感温度）が所望の温度に到達するまでに要する時間を短縮することができるので、空調室内機（10）の消費電力を低減することができる。
【０１１３】
また、ワイド気流とユーザの身体に局所的に当たる吹出気流（以下では「局所気流」と記載）とを比較すると、ワイド気流の上下方向の通風範囲（気流が通過する範囲）は、局所気流の上下方向の通風範囲よりも広い。したがって、吹出口（15）から吹き出される空気の風量が一定であるとすると、ワイド気流の上下方向における平均風速は、局所気流の上下方向における平均風速よりも低い。そのため、ワイド気流をユーザに供給することにより、局所気流をユーザに供給する場合よりも、ユーザのドラフト感を軽減することができる。
【０１１４】
また、ワイド気流をユーザに供給することにより、ユーザの全身を吹き抜ける自然風のような気流を再現することができる。これにより、ユーザの快適感を向上させることができる。
【０１１５】
（実施形態１の気流調節機構の変形例）
図１０〜図１３に示すように、実施形態１による空調室内機（10）において、気流調節機構（20）は、第１風向調節羽根（31）および第２風向調節羽根（32）に加えて、少なくとも１つの第３風向調節羽根（33）を有してもよい。
【０１１６】
〔第３風向調節羽根〕
第３風向調節羽根（33）は、吹出口（15）の延伸方向に沿うように延びる板状に形成され、吹出口（15）において第１風向調節羽根（31）と第２風向調節羽根（32）との間に設けられる。また、第３風向調節羽根（33）は、それぞれが異なる傾斜角（吹出口（15）の延伸方向に沿う揺動軸線の周りの角度）となる複数の姿勢に切り換え可能である。
【０１１７】
具体的には、第１風向調節羽根（31）の根元部（幅方向における一方の縁部）には、第３揺動軸（図示省略）が固定される。第３揺動軸は、ケーシング（11）に揺動可能に支持される。また、第３揺動軸には、第３モータ（図示省略）が連結される。第３モータの駆動により第３風向調節羽根（33）が第３揺動軸を中心として揺動し、第３風向調節羽根（33）の姿勢が切り換えられる。
【０１１８】
この例では、第３風向調節羽根（33）は、吹出口（15）の延伸方向において分割されることなく、吹出口（15）の延伸方向に沿うように延伸する。
【０１１９】
〔第１風向調節羽根および第２風向調節羽根〕
なお、図１０〜図１３に示した第１風向調節羽根（31）および第２風向調節羽根（32）の構成は、図１に示した第１風向調節羽根（31）および第２風向調節羽根（32）の構成と同様である。図１０〜図１３では、第１揺動軸（311）および第２揺動軸（321）の図示を省略している。
【０１２０】
〔空調室内機のその他の構成〕
また、図１０〜図１３に示した空調室内機（10）の他の構成は、図１に示した空調室内機（10）の構成と同様である。
【０１２１】
〔気流調節機構の変形例１〕
図１０は、気流調節機構の変形例１の構成とワイドモードにおける風向調節羽根の姿勢を例示する。気流調節機構の変形例１では、第１風向調節羽根（31）は、吹出口（15）の後縁部と連続するように構成される。第２風向調節羽根（32）は、吹出口（15）の前縁部と連続するように構成される。第３風向調節羽根（33）は、吹出口（15）の幅方向（空調室内機（10）の前後方向）における中央部に配置される。
【０１２２】
気流調節機構の変形例１では、第３風向調節羽根（33）により吹出気流が上下方向に分割される。具体的には、吹出気流は、第１風向調節羽根（31）と第３風向調節羽根（33）との間に生成される第１気流（D1）と、第３風向調節羽根（33）と第２風向調節羽根（32）との間に生成される第２気流（D2）とに分割される。
【０１２３】
〔気流調節機構の変形例２〕
図１１は、気流調節機構の変形例２の構成とワイドモードにおける風向調節羽根の姿勢を例示する。気流調節機構の変形例２では、第２風向調節羽根（32）は、吹出口（15）の後縁部から離れるように構成される。なお、気流調節機構の変形例２における第１風向調節羽根（31）および第３風向調節羽根（33）の構成は、図１０に示した気流調節機構の変形例１における第１風向調節羽根（31）および第３風向調節羽根（33）の構成と同様である。
【０１２４】
気流調節機構の変形例２では、第１風向調節羽根（31）と第３風向調節羽根（33）とにより吹出気流が上下方向に分割される。具体的には、吹出気流は、第１風向調節羽根（31）の外表面（31a）側に生成される第１気流（D1）と、第１風向調節羽根（31）と第３風向調節羽根（33）との間に生成される第２気流（D2）と、第３風向調節羽根（33）と第２風向調節羽根（32）との間に生成される第３気流（D3）とに分割される。
【０１２５】
なお、気流調節機構の変形例２では、ワイドモードにおいて、前面側スクロール（19）からの気流の剥離を抑制するために、前面側スクロール（19）の終端部の曲率を大きくすることでコアンダ効果を高めている。また、第３風向調節羽根（33）の根元部を前面側スクロール（19）との距離は、第３風向調節羽根（33）の根元部を背面側スクロール（18）との距離よりも短くなっている。
【０１２６】
また、気流調節機構の変形例２では、ワイドモードにおいて、第１風向調節羽根（31）からの気流の剥離を抑制するために、第１風向調節羽根（31）の根元部を背面側スクロール（18）の終端（F）（吹出口（15）の後縁部）から離して第１風向調節羽根（31）の外表面（31a）側に気流の通り道を設けている。
【０１２７】
また、気流調節機構の変形例２では、ワイドモードにおいて、吹出気流が第３風向調節羽根（33）の内表面（図１１における第２風向調節羽根（32）側の面）において剥離して第３風向調節羽根（33）の先端部において２つに分割されるように、第３風向調節羽根（33）の形状（例えば曲げ角度など）および配置が定められる。また、第１風向調節羽根（31）の中央部と第３風向調節羽根（33）の先端部と間の距離が短くなるように、第３風向調節羽根（33）の形状および配置が定められる。また、第１風向調節羽根（31）からの気流の剥離を抑制するために、第１風向調節羽根（31）の先端へ向かうに連れて第１風向調節羽根（31）の曲げ角度が次第に大きくなるように、第１風向調節羽根（31）の曲げ角度が定められる。例えば、第１風向調節羽根（31）の曲げ角度は、３３°から３９°に次第に変化し３９°から４５°に次第に変化してもよいし、５０°から５５°に次第に変化し５５°から６０°に次第に変化してもよい。
【０１２８】
〔気流調節機構の変形例３〕
図１２は、気流調節機構の変形例３の構成とワイドモードにおける風向調節羽根の姿勢を例示する。気流調節機構の変形例３では、第１風向調節羽根（31）は、吹出口（15）の前縁部から離れるように構成される。なお、気流調節機構の変形例３における第２風向調節羽根（32）および第３風向調節羽根（33）の構成は、図１１に示した気流調節機構の変形例２における第２風向調節羽根（32）および第３風向調節羽根（33）の構成と同様である。
【０１２９】
気流調節機構の変形例３では、第１風向調節羽根（31）と第２風向調節羽根（32）と第３風向調節羽根（33）とにより吹出気流が上下方向に分割される。具体的には、吹出気流は、第１風向調節羽根（31）の外表面（31a）側に生成される第１気流（D1）と、第１風向調節羽根（31）と第３風向調節羽根（33）との間に生成される第２気流（D2）と、第３風向調節羽根（33）と第２風向調節羽根（32）との間に生成される第３気流（D3）と、第２風向調節羽根（32）の内表面（32b）側に生成される第４気流（D4）とに分割される。
【０１３０】
〔気流調節機構の変形例４〕
図１３は、気流調節機構の変形例４の構成とワイドモードにおける風向調節羽根の姿勢を例示する。気流調節機構の変形例４では、２つの第３風向調節羽根（33）が吹出口（15）に設けられる。２つの第３風向調節羽根（33）は、吹出口（15）の延伸方向（空調室内機（10）の左右方向）に並んで配置される。なお、気流調節機構の変形例４における第１風向調節羽根（31）および第２風向調節羽根（32）の構成は、図１１に示した気流調節機構の変形例２における第２風向調節羽根（32）および第２風向調節羽根（32）の構成と同様である。
【０１３１】
気流調節機構の変形例４では、第１風向調節羽根（31）と２つの第３風向調節羽根（33）とにより吹出気流が上下方向に分割される。具体的には、吹出気流は、第１風向調節羽根（31）の外表面（31a）側に生成される第１気流（D1）と、第１風向調節羽根（31）と一方の第３風向調節羽根（33）との間に生成される第２気流（D2）と、一方の第３風向調節羽根（33）と他方の第３風向調節羽根（33）との間に生成される第３気流（D3）と、他方の第３風向調節羽根（33）と第２風向調節羽根（32）との間に生成される第４気流（D4）とに分割される。
【０１３２】
〔実施形態１の気流調節機構の変形例の効果〕
以上のように、実施形態１の気流調節機構の変形例（具体的には変形例１〜４）では、気流調節機構（20）は、第１風向調節羽根（31）と第２風向調節羽根（32）との間に設けられる少なくとも１つの第３風向調節羽根（33）を有する。第３風向調節羽根（33）は、ワイドモードにおいて吹出気流を上下方向に分割するように構成される。
【０１３３】
上記の構成では、第３風向調節羽根（33）を利用して吹出気流を上下方向に分割することにより、吹出気流を上下方向に容易に広げることができる。
【０１３４】
また、実施形態１の気流調節機構の変形例（具体的には変形例１〜４）では、第１風向調節羽根（31）と第２風向調節羽根（32）と第３風向調節羽根（33）の各々は、吹出口（15）の延伸方向において分割されることなく、吹出口（15）の延伸方向に沿うように延伸する。
【０１３５】
上記の構成では、第１風向調節羽根（31）と第２風向調節羽根（32）と第３風向調節羽根（33）の各々が吹出口（15）の延伸方向において分割されていないので、風向調節羽根を分割することにより形成される隙間から吹出気流が漏れるという事態を回避することができる。これにより、第１風向調節羽根（31）と第２風向調節羽根（32）と第３風向調節羽根（33）とを用いて吹出気流を上下方向に容易に広げることができる。
【０１３６】
また、実施形態１の気流調節機構の変形例（具体的には変形例１，２，４）では、第２風向調節羽根（32）は、吹出口（15）の前縁部と連続するように構成される。
【０１３７】
上記の構成では、吹出口（15）の前縁部と連続するように第２風向調節羽根（32）を構成することにより、吹出口（15）から第２風向調節羽根（32）へ向かう空気の流れを円滑にすることができる。これにより、第２風向調節羽根（32）による吹出気流の上方への拡大を円滑にすることができる。
【０１３８】
（実施形態１のワイド風速分布条件の変形例）
なお、実施形態１による空調室内機（10）において、気流調節機構（20）は、試験条件下におけるワイドモードにおいて、第１範囲（R11）の平均風速と第２範囲（R12）の平均風速とが互いに略同一となり、且つ、第１範囲（R11）の平均風速に対する第３範囲（R13）の平均風速の倍率が１．１倍未満であり且つ０．５倍以上となるように、吹出気流を調節するように構成されてもよい。
【０１３９】
また、気流調節機構（20）は、試験条件下におけるワイドモードにおいて、第１範囲（R11）の平均風速と第２範囲（R12）の平均風速とが互いに略同一となり、且つ、第１範囲（R11）の平均風速に対する第３範囲（R13）の平均風速の倍率が１．１倍未満であり且つ０．５倍以上となるという風速分布条件（ワイド風速分布条件）が、吹出口（15）の左右方向における中心位置（Qc）を中央とし且つ左右方向の長さが１０００ｍｍ以上である左右方向の範囲（R20）内において成立するように、吹出気流を調節するものであってもよい。
【０１４０】
〔実施形態１のワイド風速分布条件の変形例の効果〕
以上のように、実施形態１のワイド風速分布条件の変形例では、気流調節機構（20）は、試験条件下におけるワイドモードにおいて、第１範囲（R11）の平均風速と第２範囲（R12）の平均風速とが互いに略同一となり、且つ、第１範囲（R11）の平均風速に対する第３範囲（R13）の平均風速の倍率が１．１倍未満であり且つ０．５倍以上となるように、吹出気流を調節する。
【０１４１】
上記の構成では、第１範囲（R11）の平均風速と第２範囲（R12）の平均風速との差を略ゼロにすることができる。第１範囲（R11）の平均風速と第３範囲（R13）の平均風速との差を第３範囲（R13）の平均風速の０．１〜０．５倍未満にすることができる。第２範囲（R12）の平均風速と第３範囲（R13）の平均風速との差を第３範囲（R13）の平均風速の略０．１〜０．５倍未満にすることができる。このように、基準高さ範囲（R10）内における吹出気流の風速のばらつきを低減することができるので、上下方向における風速のばらつきが低減された吹出気流をユーザの全身へ向けて送り出すことができる。これにより、吹出気流が身体に局所的に当たることによる不快感を軽減することができる。
【０１４２】
（実施形態２）
実施形態２による空調室内機（10）の構成は、図１および図２に示した実施形態１による空調室内機（10）の構成と同様である。例えば、この例では、吹出口（15）の幅方向における長さ（L15）は、３００ｍｍ以下である。言い換えると、吹出口（15）の開口部の形状は、その開口部に外接する長方形の短辺の長さが３００ｍｍ以下である。ここでいう「吹出口（15）の開口部に外接する長方形」とは、その内部に吹出口（15）の開口部がすべて含まれる長方形のうち最も面積が小さい長方形のことである。なお、吹出口（15）の長方形の短辺の長さは、１５０ｍｍ以下であってもよい。また、吹出口（15）の開口部に外接する長方形の長手方向は、水平方向である。
【０１４３】
また、以下の説明における「基準地点（P0）」「基準高さ範囲（R10）」「第１範囲（R11）」「第２範囲（R12）」「第３範囲（R13）」「試験条件」は、実施形態１における「基準地点（P0）」「基準高さ範囲（R10）」「第１範囲（R11）」「第２範囲（R12）」「第３範囲（R13）」「試験条件」と同様である。
【０１４４】
実施形態２による空調室内機（10）では、ワイドモードにおける吹出気流の風向は、基準高さ範囲（R10）とは異なる上下方向の所定範囲へ向かう方向に設定可能である。例えば、上下方向の所定範囲は、基準高さ範囲（R10）を上側にシフトさせた範囲（具体例としては床面から５００ｍｍ離れた位置を始点とし且つ床面から２１００ｍｍ離れた位置を終点とする長さ１６００ｍｍの上下方向の範囲）であってもよい。なお、ワイドモードにおいて、吹出気流の風向は、固定であってもよいし、上下方向に可変であってもよい。
【０１４５】
実施形態２の空調室内機（10）は、試験条件下において、第１範囲（R11）の平均風速と第２範囲（R12）の平均風速とが互いに略同一になるように吹出気流の風向を調節したときに、第１範囲（R11）の平均風速に対する第３範囲（R13）の平均風速の倍率が１．５倍未満となるように構成される。具体的には、実施形態２の空調室内機（10）では、試験条件下において、吹出気流の風向が基準高さ範囲（R10）へ向かう方向となり、且つ、第１範囲（R11）の平均風速と第２範囲（R12）の平均風速とが互いに略同一となるように、吹出気流の風向を調節したときに、第１範囲（R11）の平均風速に対する第３範囲（R13）の平均風速の倍率が１．５倍未満となる。
【０１４６】
なお、吹出気流の風向の調節は、空調室内機（10）の設置角（水平に対する傾斜角）を調節することで行われてもよい。また、吹出気流の風向の調節は、第１風向調節羽根（31）の傾斜角および第２風向調節羽根（32）の傾斜角を調節することで行われてもよい。この場合、第１風向調節羽根（31）と第２風向調節羽根（32）との間の角度が一定に保たれるように、第１風向調節羽根（31）の傾斜角および第２風向調節羽根（32）の傾斜角を調節することが好ましい。
【０１４７】
この例では、実施形態２の空調室内機（10）は、試験条件下において、第１範囲（R11）の平均風速と第２範囲（R12）の平均風速とが互いに略同一になるように吹出気流の風向を調節したときに、第１範囲（R11）の平均風速に対する第３範囲（R13）の平均風速の倍率が１．５倍未満となるという風速分布条件が、吹出口（15）の左右方向における中心位置（Qc）を中央とし且つ左右方向の長さが１０００ｍｍ以上である左右方向の範囲（R20）内において成立するように構成される。具体的には、実施形態２の空調室内機（10）では、試験条件下において、吹出気流の風向が基準高さ範囲（R10）へ向かう方向となり、且つ、第１範囲（R11）の平均風速と第２範囲（R12）の平均風速とが互いに略同一となるように、吹出気流の風向を調節したときに、第１範囲（R11）の平均風速に対する第３範囲（R13）の平均風速の倍率が１．５倍未満となるという風速分布条件が左右方向の範囲（R20）内において成立する。なお、上記の左右方向は、吹出口（15）の開口部に外接する長方形の長手方向に相当する。
【０１４８】
また、実施形態２の空調室内機（10）は、試験条件下において、第１範囲（R11）の平均風速と第２範囲（R12）の平均風速とが互いに略同一になるように吹出気流の風向を調節したときに、基準高さ範囲（R10）の平均風速が０．５ｍ／ｓ以上となるように構成される。具体的には、実施形態２の空調室内機（10）では、試験条件下において、吹出気流の風向が基準高さ範囲（R10）へ向かう方向となり、且つ、第１範囲（R11）の平均風速と第２範囲（R12）の平均風速とが互いに略同一となるように、吹出気流の風向を調節したときに、基準高さ範囲（R10）の平均風速が０．５ｍ／ｓ以上となる。
【０１４９】
〔実施形態２の効果〕
以上のように、実施形態２による空調室内機（10）は、吸込口（14）と吹出口（15）とが形成されたケーシング（11）と、ケーシング（11）内に設けられるファン（12）と、吹出口（15）から吹き出される空気の流れである吹出気流を調節する気流調節機構（20）とを備える。吹出口（15）の開口部の形状は、前記開口部に外接する長方形の短辺の長さが３００ｍｍ以下である。吹出口（15）の基準位置（Q）が床面から上方に２０００ｍｍ離れた位置となるように空調室内機（10）が設けられる試験条件下において、吹出口（15）の基準位置（Q）の真下にある床面上の地点から空調室内機（10）の前方に１０００ｍｍ離れた第１地点（P1）を始点とし且つ吹出口（15）の基準位置（Q）の真下にある床面上の地点から空調室内機（10）の前方に２０００ｍｍ離れた第２地点（P2）を終点とする前後方向の範囲内に位置する少なくとも１つの地点を基準地点（P0）とする。基準地点（P0）を始点とし且つ基準地点（P0）から上方に１６００ｍｍ離れた位置を終点とする上下方向の範囲を基準高さ範囲（R10）とする。基準高さ範囲（R10）を上下方向に三等分して得られる３つの範囲のうち、上側に位置する範囲を第１範囲（R11）、下側に位置する範囲を第２範囲（R12）、中央に位置する範囲を第３範囲（R13）とする。吹出口（15）の基準位置（Q）が床面から上方に２０００ｍｍ離れた位置となるように空調室内機（10）が設けられる試験条件下において、第１範囲（R11）の平均風速と第２範囲（R12）の平均風速とが互いに略同一になるように吹出気流の風向を調節したときに、第１範囲（R11）の平均風速に対する第３範囲（R13）の平均風速の倍率が１．５倍未満となる。
【０１５０】
上記の構成では、上下方向の所定範囲内における吹出気流の風速のばらつきを低減することができるので、上下方向における風速のばらつきが低減された吹出気流をユーザの全身へ向けて送り出すことができる。これにより、吹出気流が身体に局所的に当たることによる不快感を軽減することができる。
【０１５１】
また、実施形態２による空調室内機（10）では、試験条件下において、第１範囲（R11）の平均風速と第２範囲（R12）の平均風速とが互いに略同一になるように吹出気流の風向を調節したときに、基準高さ範囲（R10）の平均風速が０．５ｍ／ｓ以上となる。
【０１５２】
上記の構成では、上下方向の所定範囲内における吹出気流の平均風速が低くなり過ぎることを防止することができる。これにより、上下方向における風速のばらつきが低減された吹出気流をユーザの全身へ向けて有効に送り出すことができる。
【０１５３】
また、実施形態２による空調室内機（10）では、試験条件下において、第１範囲（R11）の平均風速と第２範囲（R12）の平均風速とが互いに略同一になるように吹出気流の風向を調節したときに、第１範囲（R11）の平均風速に対する第３範囲（R13）の平均風速の倍率が１．５倍未満となるという風速分布条件が、吹出口（15）の長方形（具体的には吹出口（15）の開口部に外接する長方形）の長手方向における中心位置（Qc）を中央とし且つ長方形の長手方向の長さが１０００ｍｍ以上である長方形の長手方向の範囲（R20）内において成立する。
【０１５４】
上記の構成では、１０００ｍｍ以上の所定方向（具体的には吹出口（15）の開口部に外接する長方形の長手方向）の範囲内において、上下方向の所定範囲内における吹出気流の風速のばらつきを低減することができる風速分布条件を満たすことができる。これにより、１０００ｍｍ以上の所定方向の範囲内において、吹出気流が身体に局所的に当たることによる不快感を軽減することができる。
【０１５５】
また、実施形態２による空調室内機（10）では、気流調節機構（20）は、吹出口（15）の後寄りに設けられる第１風向調節羽根（31）と、吹出口（15）の前寄りに設けられる第２風向調節羽根（32）とを有する。第１風向調節羽根（31）は、吹出気流を下方に拡大するように構成される。第２風向調節羽根（32）は、吹出気流を上方に拡大するように構成される。
【０１５６】
上記の構成では、第１風向調節羽根（31）と第２風向調節羽根（32）とにより、吹出気流を上下方向に広げることができる。これにより、上下方向の所定範囲内における吹出気流の風速のばらつきを低減することができ、上下方向における風速のばらつきが低減された吹出気流をユーザの全身へ向けて送り出すことができる。これにより、吹出気流が身体に局所的に当たることによる不快感を軽減することができる。
【０１５７】
また、実施形態２による空調室内機（10）では、第１風向調節羽根（31）と第２風向調節羽根（32）は、コアンダ効果により吹出気流を上下方向に分割するように構成される。
【０１５８】
上記の構成では、第１風向調節羽根（31）におけるコアンダ効果により、第１風向調節羽根（31）に沿うように吹出気流を下方に案内することができる。また、第２風向調節羽根（32）におけるコアンダ効果により、第２風向調節羽根（32）に沿うように吹出気流を上方に案内することができる。そして、これらのコアンダ効果を利用して吹出気流を上下方向に分割することにより、吹出気流を上下方向に容易に広げることができる。
【０１５９】
また、実施形態２による空調室内機（10）では、第２風向調節羽根（32）は、吹出口（15）の前縁部と連続するように構成される。
【０１６０】
上記の構成では、吹出口（15）の前縁部と連続するように第２風向調節羽根（32）を構成することにより、吹出口（15）から第２風向調節羽根（32）へ向かう空気の流れを円滑にすることができる。これにより、第２風向調節羽根（32）による吹出気流の上方への拡大を円滑にすることができる。
【０１６１】
また、実施形態２による空調室内機（10）では、気流調節機構（20）は、吹出口（15）の長方形の長手方向に並ぶように吹出口（15）に設けられる３つ以上の補助調節羽根（35）を有する。３つ以上の補助調節羽根（35）の各々は、吹出気流を吹出口（15）の長方形の長手方向に分割するように構成される。
【０１６２】
上記の構成では、吹出気流を吹出口（15）の長方形の長手方向に分割することにより、吹出気流を吹出口（15）の長方形の長手方向に広げることができる。これにより、上下方向における風速のばらつきが低減された吹出気流が送り出される範囲を吹出口（15）の長方形の長手方向に広げることができる。
【０１６３】
（実施形態２の気流調節機構の変形例）
なお、図１０〜図１３に示した実施形態１の気流調節機構の変形例と同様に、実施形態２による空調室内機（10）において、気流調節機構（20）は、第１風向調節羽根（31）および第２風向調節羽根（32）に加えて、少なくとも１つの第３風向調節羽根（33）を有してもよい。第３風向調節羽根（33）は、第１風向調節羽根（31）と第２風向調節羽根（32）との間に設けられる。また、第３風向調節羽根（33）は、吹出気流を上下方向に分割するように構成される。
【０１６４】
上記の構成では、第３風向調節羽根（33）を利用して吹出気流を上下方向に分割することにより、吹出気流を上下方向に容易に広げることができる。
【０１６５】
また、図１０〜図１３に示した実施形態１の気流調節機構の変形例と同様に、実施形態２による空調室内機（10）において、気流調節機構（20）が第１風向調節羽根（31）と第２風向調節羽根（32）と少なくとも１つの第３風向調節羽根（33）とを有する場合、第１風向調節羽根（31）と第２風向調節羽根（32）と第３風向調節羽根（33）の各々は、吹出口（15）の開口方向において分割されることなく、吹出口（15）の開口方向に沿うように延伸するように構成されてもよい。
【０１６６】
上記の構成では、第１風向調節羽根（31）と第２風向調節羽根（32）と第３風向調節羽根（33）の各々が吹出口（15）の延伸方向において分割されていないので、風向調節羽根を分割することにより形成される隙間から吹出気流が漏れるという事態を回避することができる。これにより、第１風向調節羽根（31）と第２風向調節羽根（32）と第３風向調節羽根（33）とを用いて吹出気流を上下方向に容易に広げることができる。
【０１６７】
また、図１０，図１１，図１３に示した実施形態１の気流調節機構の変形例と同様に、実施形態２による空調室内機（10）において、気流調節機構（20）が第１風向調節羽根（31）と第２風向調節羽根（32）と少なくとも１つの第３風向調節羽根（33）とを有する場合、第２風向調節羽根（32）は、吹出口（15）の前縁部と連続するように構成されてもよい。
【０１６８】
上記の構成では、吹出口（15）の前縁部と連続するように第２風向調節羽根（32）を構成することにより、吹出口（15）から第２風向調節羽根（32）へ向かう空気の流れを円滑にすることができる。これにより、第２風向調節羽根（32）による吹出気流の上方への拡大を円滑にすることができる。
【０１６９】
なお、以上の説明では、気流調節機構（20）が風向調節羽根（具体的には第１風向調節羽根（31）および第２風向調節羽根（32）など）により構成される場合を例に挙げたが、これに限定されない。例えば、気流調節機構（20）は、第１範囲（R11）の平均風速と第２範囲（R12）の平均風速とが互いに略同一となるように内壁の形状や向きが設計された吹出流路（17）により構成されてもよいし、第１範囲（R11）の平均風速と第２範囲（R12）の平均風速とが互いに略同一となるように向きが設定された固定の風向調節羽根により構成されてもよい。
【０１７０】
（実施形態２のワイド風速分布条件の変形例）
なお、実施形態２の空調室内機（10）は、試験条件下において、第１範囲（R11）の平均風速と第２範囲（R12）の平均風速とが互いに略同一になるように吹出気流の風向を調節したときに、第１範囲（R11）の平均風速に対する第３範囲（R13）の平均風速の倍率が１．１倍未満であり且つ０．５倍以上となるように構成されてもよい。具体的には、この変形例では、吹出口（15）の基準位置（Q）が床面から上方に２０００ｍｍ離れた位置となるように空調室内機（10）が設けられる試験条件下において、吹出気流の風向が基準高さ範囲（R10）へ向かう方向となり、且つ、第１範囲（R11）の平均風速と第２範囲（R12）の平均風速とが互いに略同一となるように、吹出気流の風向を調節したときに、第１範囲（R11）の平均風速に対する第３範囲（R13）の平均風速の倍率が１．１倍未満であり且つ０．５倍以上となる。
【０１７１】
また、実施形態２の空調室内機（10）は、試験条件下において、第１範囲（R11）の平均風速と第２範囲（R12）の平均風速とが互いに略同一になるように吹出気流の風向を調節したときに、第１範囲（R11）の平均風速に対する第３範囲（R13）の平均風速の倍率が１．１倍未満であり且つ０．５倍以上となるという風速分布条件が、吹出口（15）の左右方向における中心位置（Qc）を中央とし且つ左右方向の長さが１０００ｍｍ以上である左右方向の範囲（R20）内において成立するように構成されてもよい。具体的には、この例では、吹出口（15）の基準位置（Q）が床面から上方に２０００ｍｍ離れた位置となるように空調室内機（10）が設けられる試験条件下において、吹出気流の風向が基準高さ範囲（R10）へ向かう方向となり、且つ、第１範囲（R11）の平均風速と第２範囲（R12）の平均風速とが互いに略同一となるように、吹出気流の風向を調節したときに、第１範囲（R11）の平均風速に対する第３範囲（R13）の平均風速の倍率が１．１倍未満であり且つ０．５倍以上となるという風速分布条件が左右方向の範囲（R20）内において成立する。なお、上記の左右方向は、吹出口（15）の開口部に外接する長方形の長手方向に相当する。
【０１７２】
〔ワイド風速分布条件の変形例の効果〕
以上のように、実施形態２のワイド風速分布条件の変形例では、吹出口（15）の基準位置（Q）が床面から上方に２０００ｍｍ離れた位置となるように送風機が設けられる試験条件下において、第１範囲（R11）の平均風速と第２範囲（R12）の平均風速とが互いに略同一になるように吹出気流の風向を調節したときに、第１範囲（R11）の平均風速に対する第３範囲（R13）の平均風速の倍率が１．１倍未満であり且つ０．５倍以上となる。
【０１７３】
上記の構成では、上下方向の所定範囲内における吹出気流の風速のばらつきを低減することができるので、上下方向における風速のばらつきが低減された吹出気流をユーザの全身へ向けて送り出すことができる。これにより、吹出気流が身体に局所的に当たることによる不快感を軽減することができる。
【０１７４】
（その他の実施形態）
以上の説明では、ワイド風速分布条件が成立すべき地点である基準地点（P0）が第１地点P1）である場合を例に挙げたが、これに限定されない。例えば、基準地点（P0）は、第２地点（P2）であってもよいし、第１地点（P1）を始点として第２地点（P2）を終点とする前後方向の範囲に含まれる任意の地点であってもよい。なお、吹出気流の空気流れの下流へ向かうに連れて吹出気流が上下方向に次第に広がっていく傾向があるので、第１地点（P1）においてワイド風速分布条件が成立する場合、第１地点（P1）を始点として第２地点（P2）を終点とする前後方向の範囲の全域においてワイド風速分布条件が成立する可能性が高い。逆に、第２地点（P2）においてワイド風速分布条件が成立したとしても、第１地点（P1）を始点として第２地点（P2）を終点とする前後方向の範囲（ただし第２地点（P2）を除く）においてワイド風速分布条件が成立しない場合がある。
【０１７５】
また、以上の説明では、空調室内機（10）がワイドモードと通常モードとを有する場合を例に挙げたが、これに限定されない。例えば、空調室内機（10）は、ワイドモードのみを有するものであってもよい。
【０１７６】
また、以上の説明では、空調室内機（10）が側壁に設けられる場合を例に挙げたが、これに限定されない。例えば、空調室内機（10）は、天井に設けられてもよい。また、空調室内機（10）に複数の吹出口（15）が設けられてもよい。すなわち、吹出口（15）は１つに限らず複数あってもよい。また、吹出口（15）の形状は、矩形状であってもよいし、曲線形状であってもよい。
【０１７７】
また、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり置換したりしてもよい。
【産業上の利用可能性】
【０１７８】
以上説明したように、本開示は、送風機および空調室内機に関する。
【符号の説明】
【０１７９】
１０          空調室内機（送風機）
１１          ケーシング
１２          ファン
１３          熱交換器
１４          吸込口
１５          吹出口
１６          底フレーム
１７          吹出流路
１８          背面側スクロール
１９          前面側スクロール
２０          気流調節機構
３１          第１風向調節羽根
３２          第２風向調節羽根
３３          第３風向調節羽根
３５          補助調節羽根
４０          制御部
Ｐ０          基準地点
Ｐ１          第１地点
Ｐ２          第２地点
Ｒ１０        基準高さ範囲
Ｒ１１        第１範囲
Ｒ１２        第２範囲
Ｒ１３        第３範囲
Ｑ            吹出口の基準位置
Ｑｃ          吹出口の左右方向の中心位置
Ｌ１５        吹出口の幅方向における長さ
【要約】
【課題】吹出気流が身体に局所的に当たることによる不快感を軽減する。
【解決手段】ケーシング（11）には、吸込口（14）と吹出口（15）とが形成される。ファン（12）は、ケーシング（11）内に設けられる。吹出口（15）の基準位置（Q）が床面から上方に２０００ｍｍ離れた位置となるように送風機が設けられる試験条件下において、気流調節機構（20）は、ワイドモードにおいて、第１範囲（R11）の平均風速と第２範囲（R12）の平均風速とが互いに略同一となり、且つ、第１範囲（R11）の平均風速に対する第３範囲（R13）の平均風速の倍率が１．５倍未満となるように、吹出口（15）から吹き出される空気の流れを調節する。
【選択図】図３【図１】
0006816807.tif 000002
【図２】
0006816807.tif 000003
【図３】
0006816807.tif 000004
【図４】
0006816807.tif 000005
【図５】
0006816807.tif 000006
【図６】
0006816807.tif 000007
【図７】
0006816807.tif 000008
【図８】
0006816807.tif 000009
【図９】
0006816807.tif 000010
【図１０】
0006816807.tif 000011
【図１１】
0006816807.tif 000012
【図１２】
0006816807.tif 000013
【図１３】
0006816807.tif 000014